(57)【要約】  本発明は、食品を調理するためにガスボンベ又はカートリッジ（２）に接続されることができるコンパクトなバーベキュー器具（１）に関する。このバーベキュー器具（１）は、ベース（１０）と、ベース（１０）に接続され、前方開口（２３）を有する燃焼チャンバ（２０）と、前方開口（２３）に対向して燃焼チャンバ（２０）の内部に配置された放射ガスバーナ（３）とを具備する。このバーベキュー器具（１）は、折りたたみ式であり、ベース（１０）は、第１のいわゆる機能位置（Ｐ１）から第２のいわゆる搬送位置（Ｐ２）へと、燃焼チャンバ（２０）に対して移動可能であり、機能位置では、ベース（１０）は、燃焼チャンバ（２０）に対してほぼ横方向に配置され、地面上へのこのバーベキュー器具（１）の安定性を確実にし、また、燃焼チャンバ（２０）の前方開口（２３）は、外部に向かって開口し、搬送位置では、ベース（１０）は、燃焼チャンバ（２０）に対してほぼ長手方向に配置され、燃焼チャンバ（２０）の開口（２３）を閉じ、燃焼チャンバ（２０）は、このバーベキュー器具（１）が機能位置（Ｐ１）にあるとき、前方開口（２３）の近くに位置され、かつ放射ガスバーナ（３）に対向している調理される食品を支持するための可動手段（４０）を保持するように配置された保持手段（２４）を有することを特徴とする。
2013529529.tif 000002
【特許請求の範囲】
【請求項１】
ベース（１０）と、
前記ベース（１０）に接続され、前方開口（２３）を有する燃焼チャンバ（２０）と、
前記燃焼チャンバの前記前方開口（２３）に対向して前記燃焼チャンバ（２０）の内部に配置された放射ガスバーナ（３）とを具備し、食品を調理するためにガスボンベ又はカートリッジ（２）に接続されることができるコンパクトなバーベキュー器具（１）において、
このバーベキュー器具（１）は、折りたたみ式であり、
前記ベース（１０）は、第１のいわゆる機能位置（Ｐ１）から第２のいわゆる搬送位置（Ｐ２）へと、前記燃焼チャンバ（２０）に対して移動可能であり、
前記機能位置では、前記ベース（１０）は、前記燃焼チャンバ（２０）に対してほぼ横方向に配置され、地面上へのこのバーベキュー器具（１）の安定性を確実にし、また、前記燃焼チャンバ（２０）の前記前方開口（２３）は、外部に向かって開口し、 
前記搬送位置では、前記ベース（１０）は、前記燃焼チャンバ（２０）に対してほぼ長手方向に配置され、前記燃焼チャンバ（２０）の前記開口（２３）を閉じ、
前記燃焼チャンバ（２０）は、このバーベキュー器具（１）が前記機能位置（Ｐ１）にあるとき、前記前方開口（２３）の近くに位置され、かつ前記放射ガスバーナ（３）に対向して調理される食品を支持するための可動手段（４０）を保持するように配置された保持手段（２４）を有することを特徴とするバーベキュー器具（１）。
【請求項２】
前記燃焼チャンバ（２０）は、着脱可能な部分（２２）を有する請求項１のバーベキュー器具（１）。
【請求項３】
前記着脱可能な部分は、維持手段（４０）をロックするための装置（５０）を有する請求項２のバーベキュー器具（１）。
【請求項４】
前記維持手段（４０）をロックするための装置（５０）は、前記維持手段（４０）がそれらの保持手段（２４）から出ることを禁止する第１の位置から、前記維持手段（４０）がそれらの保持手段（２４）から出ることを可能にする第２の位置に移動されることができる細長い部材（５１）を有する請求項３のバーベキュー器具（１）。
【請求項５】
前記維持手段（４０）をロックするための装置（５０）は、ショルダ（９３ａ、１０１）を有する前記維持手段（４０）によって支持された装置（９０）を有し、
前記ショルダ（９３ａ、１０１）は、前記ショルダ（９３ａ、１０１）が停止手段（９９、１０２）と協働することによって前記維持手段（４０）が前記保持手段（２４）から出るのを防ぐ第１の位置から、前記ショルダ（９３ａ、１０１）が前記停止手段（９９、１０２）から開放されて前記維持手段（４０）が前記保持手段（２４）から出ることを可能にする第２の位置に移動可能である請求項３のバーベキュー器具（１）。 
【請求項６】
前記停止手段は、前記着脱可能な部分（２２）の壁に位置された停止部（９９）を有する請求項５のバーベキュー器具（１）。
【請求項７】
前記停止手段は、前記ショルダ（１０１）の円形部分に相補的な形状の円形孔（１０２）を有する請求項５のバーベキュー器具（１）。
【請求項８】
前記着脱可能な部分（２２）の位置は、前記着脱可能な部分（２２）がこのバーベキュー器具（１）にいったん装着されると、前記着脱可能な部分（２２）が前記ガスバーナ（３）に比較的近い第１の所定のいわゆる閉成位置と、前記着脱可能な部分（２２）が前記閉成位置に対して前記ガスバーナ（３）から比較的離れた少なくとも１つの第２の所定のいわゆる離間位置とから選択される請求項２ないし７のいずれか１のバーベキュー器具（１）。
【請求項９】
前記着脱可能な維持手段（４０）は、前記保持手段（２４）の内部で回転可能な複数のピン（４０ａ）であり、これらピンの各々が、回転移動を伝達するように、隣接している１つ又は複数のピン（４０ａ）と噛合部（４２）を形成する、ピニオンのような駆動手段（４１）を有する請求項１ないし８のいずれか１のバーベキュー器具（１）。
【請求項１０】
前記前方開口（２３）に対向する方向に位置された、前記燃焼チャンバ（２０）の裏面に位置された前記ガスカートリッジ（２）の輪郭部のところの輪郭面（８０）を有する請求項１ないし９のいずれか１のバーベキュー器具（１）。
【請求項１１】
前記燃焼チャンバ（２０）は、裏面に、前記前方開口（２３）に対向する方向に位置された、ガスエキスパンダが前記ガスボンベ又はカートリッジ（２）に接続されていないときにガスエキスパンダ（４）を格納するように意図されたガスエキスパンダ（４）を格納するためのコンパートメント（５）を有する請求項１ないし１０のいずれか１のバーベキュー器具（１）。
【請求項１２】
前記前方開口（２３）に対向する方向に位置された、前記燃焼チャンバ（２０）の裏面にガスエキスパンダ（４）を保持するように配置された留め手段（３２）を有する請求項１ないし１１のいずれか１のバーベキュー器具（１）。
【請求項１３】
前記機能位置（Ｐ１）にこのバーベキュー器具（１）を維持することを可能にするロック手段（３４）を有する請求項１ないし１２のいずれか１のバーベキュー器具（１）。
【請求項１４】
前記ベース（１０）は、このバーベキュー器具（１）が前記機能位置にあるときに準備と保管との少なくとも一方の領域（１３）を有する請求項１ないし１３のいずれか１のバーベキュー器具（１）。
【請求項１５】
前記燃焼チャンバ（２０）は、裏面に、前記前方開口（２３）と対向する方向に位置された搬送ハンドル（９）を含み、前記搬送ハンドルは、前記搬送位置（Ｐ２）及び前記機能位置（Ｐ１）にこのバーベキュー器具（１）を移動させることを可能にする請求項１ないし１４のいずれか１のバーベキュー器具（１）。
【発明の詳細な説明】
【技術分野】
【０００１】
本発明は、食品を調理するように意図され、ガスボンベ又はカートリッジに接続されることができ、放射ガスバーナを備えた燃焼チャンバを有するコンパクトなバーベキュー器具に関する。
【背景技術】
【０００２】
既知であるようにして放射バーナを配置することは、油脂が加熱要素に達するのを防ぐことからなる問題を解決してきた。油脂が加熱要素に達すると、有毒物質及び煙を引き起こしたり、食品を炭化させたり味を変化させたりする炎の原因となったりする。
【０００３】
しかしながら、このタイプのバーベキュー器具は、かさばり、キャンプをしており放射バーナを用いて調理して効果を得たい人々にとって搬送し難い。
【０００４】
この欠点は、一方では、人間工学や、この技術を実行するバーベキュー器具の、主として寸法及び重みによるものであり、他方では、調理中に発生される油脂及び煙によるものであり、これらはバーベキュー器具の外側の部分を汚し、使用者の衣服を汚しうる。
【発明の概要】
【０００５】
本発明は、前述の欠点の全て又はいくつかを解決することを目的とする。
【０００６】
この目的のために、本発明は、ベースと、前記ベースに接続され、前方開口を有する燃焼チャンバと、前記燃焼チャンバの前記前方開口に対向して前記燃焼チャンバの内部に配置された放射ガスバーナとを具備し、食品を調理するためにガスボンベ又はカートリッジに接続されることができるコンパクトなバーベキュー器具において、このバーベキュー器具は、折りたたみ可能であり、前記ベースは、第１のいわゆる機能位置から第２のいわゆる搬送位置へと、前記燃焼チャンバに対して移動可能であり、前記機能位置では、前記ベースは、前記燃焼チャンバに対してほぼ横方向に配置され、地面上へのこのバーベキュー器具の安定性を確実にし、また、前記燃焼チャンバの前記前方開口は、外部に向かって開口し、前記搬送位置では、前記ベースは、前記燃焼チャンバに対してほぼ長手方向に配置され、前記燃焼チャンバの前記開口を閉じ、そして、前記燃焼チャンバは、このバーベキュー器具が前記機能位置にあるとき、前記前方開口の近くに位置され、かつ前記放射ガスバーナに対向している調理される食品を支持するための可動手段を保持するように配置された保持手段を有することを特徴とする。
【０００７】
この構成は、バーベキュー器具を容易に搬送することを可能にするので、このバーベキュー器具はどこでも使用されることができる。さらに、搬送位置では、外側部分は比較的清潔なままであり、使用者の衣服を汚すリスクを減らしながらバーベキュー器具が搬送されることを可能にする。
【０００８】
一実施の形態によれば、前記燃焼チャンバは、着脱可能な部分を有する。
【０００９】
この構成は、バーベキュー器具のこの部分の容易な洗浄を可能にする。
【００１０】
一実施の形態によれば、前記着脱可能な部分は、維持手段をロックするための装置を有する。
【００１１】
この構成は、維持手段の落下のリスクがなく着脱可能な部分を移動させることを可能にし、また、ピンが回転されるときにピンが保持手段から出るのを防ぐことを可能にする。
【００１２】
一実施の形態によれば、前記維持手段をロックするための装置は、維持手段がそれらの保持手段から出ることを禁止する第１の位置から、維持手段が保持手段から出ることを可能にする第２の位置に移動されることができる細長い部材を有する。
【００１３】
一実施の形態によれば、維持手段をロックするための前記装置は、ショルダを有する維持手段によって支持された装置を有し、ショルダは、ショルダが停止手段と協働することによって維持手段が保持手段から出るのを防ぐ第１の位置から、ショルダが停止手段から開放されて維持手段が保持手段から出ることを可能にする第２の位置に移動可能である。
【００１４】
一実施の形態によれば、停止手段は、着脱可能な部分の壁に位置された停止部を有する。
【００１５】
一実施の形態によれば、停止手段は、ショルダの円形部分に相補的な形状の円形孔を有する。
【００１６】
効果的には、ロック手段は、平棒のような、着脱可能な部分の壁に対して回転可能なレバーの形態をとる。
【００１７】
効果的には、ロック手段は、平棒のような、着脱可能な部分の壁に対して移動可能な部材の形態をとる。
【００１８】
同じ実施の形態によれば、前記着脱可能な部分の位置は、着脱可能な部分がこのバーベキュー器具にいったん装着されると、着脱可能な部分がガスバーナに比較的近い第１の所定のいわゆる閉成位置と、着脱可能な部分が閉成位置に対してガスバーナから比較的離れた少なくとも１つの第２の所定のいわゆる離間位置とから選択される。
【００１９】
この構成は、バーナが供給するガスフローを調節することからなる代表的な調節手段に加えて、食品の調理温度を調節するための追加手段を有することを可能にする。
【００２０】
さらに、この構成は、調理される食品のタイプに応じて調理位置を予め規定することを可能にする。
【００２１】
一実施の形態によれば、着脱可能な維持手段は、前記保持手段内で回転可能な複数のピンであり、前記ピンの各々が、回転移動を伝達するように、隣接している１つ又は複数のピンと噛合部を形成する、ピニオンのような駆動手段を有する。
【００２２】
この構成は、単一のピンを回転させることによって全てのピンを回転させることを可能にする。
【００２３】
同じ実施の形態によれば、噛合部を形成するピンを駆動させるための手段は、燃焼チャンバの前方開口の外部に維持される。
【００２４】
この構成は、油脂の蓄積及びバーナによって発生された熱の大部分からピニオンを保護することを可能にする。このような熱は、回転移動をロックしうるピニオンの膨張現象を引き起こしうる。
【００２５】
一実施の形態によれば、前記ピンのうちの１つは、電気モータによって駆動される。
【００２６】
この構成は、例えば、ハンドルを駆動させるために、バーベキュー器具の近くにとどまる必要なく、串に刺された食品の均一な調理を得ることを可能にする。
【００２７】
同じ実施の形態によれば、電気モータは、噛合部の中心の最も近くに位置された駆動手段を有するピンを駆動させる。
【００２８】
この構成は、回転移動を止める中心の近くのピンなしで端部のピンをなくすことを可能にする。
【００２９】
一実施の形態によれば、電気モータは、前記ピンの各々の駆動手段が配置されている側面に対向している側面に、燃焼チャンバの前方開口の外部に配置されている。
【００３０】
一実施の形態によれば、着脱可能な維持手段は、肉、魚又はパンのような食品を調理するために使用されることができる二重焼き網（double grille）によって形成されている。
【００３１】
一実施の形態によれば、バーベキュー器具は、前方開口に対向する方向に位置された、燃焼チャンバの裏面に位置されたガスカートリッジの輪郭部のところの輪郭面を有する。
【００３２】
この構成は、カートリッジに含まれたガスがエキスパンダに放出されたとき、又は、低い外部の温度のとき、近くに位置された放射バーナによる放射、伝熱及び対流によりガスカートリッジをより加熱することによって、ガスカートリッジの冷却を低減させることが可能である。
【００３３】
一実施の形態によれば、燃焼チャンバは、裏面に、前方開口に対向する方向に位置された、ガスエキスパンダがガスボンベ又はカートリッジに接続されていないときにガスエキスパンダを格納するように意図されたガスエキスパンダを格納するためのコンパートメントを有する。
【００３４】
この構成は、搬送中のバーベキュー器具の人間工学を改良することを可能にする。
【００３５】
一実施の形態によれば、バーベキュー器具は、前記前方開口に対向する方向に位置された、燃焼チャンバの裏面にガスエキスパンダを保持するように配置された引掛手段を有する。
【００３６】
この構成は、バーベキュー器具にガスボンベ又はカートリッジを取り付けることを可能にし、また、エキスパンダ中の圧力下で流れる低温ガスを加熱することを可能にする。
【００３７】
一実施の形態によれば、バーベキュー器具は、バーベキュー器具を前記機能位置に維持することを可能にするロック手段を有する。
【００３８】
この構成は、前記搬送位置へのバーベキュー器具１の不時の折りたたみを防ぐことを可能にする。
【００３９】
一実施の形態によれば、バーベキュー器具は、バーベキュー器具を前記搬送位置に維持することを可能にするロック手段を有する。
【００４０】
この構成は、前記動作位置へのバーベキュー器具の不時の展開を防ぐことによって、バーベキュー器具が完全に安全に搬送されることを可能にする。
【００４１】
一実施の形態によれば、ベースは、バーベキュー器具が前記機能位置にあるときに準備と保管との少なくとも一方の領域を有する。
【００４２】
この構成は、使用者に、バーベキュー器具の近くの他の準備と保管との少なくとも一方の領域を探さずにいられる現実的な解決策を提供する。
【００４３】
一実施の形態によれば、燃焼チャンバは、裏面に、前記前方開口と対向する方向に位置された搬送ハンドルを有し、この搬送ハンドルは、前記搬送位置及び前記機能位置にこのバーベキュー器具を移動させることを可能にする。
【００４４】
この構成は、熱傷及びバーベキュー器具の傾斜のリスクを最小限にすることによって、バーベキュー器具を容易に移動させることを可能にする。
【００４５】
一実施の形態によれば、バーベキュー器具は、バーベキュー器具が前記機能位置及び前記搬送位置であるときに燃焼チャンバの前方開口の底部に対してほぼ横方向に位置された着脱可能なオイルパンを有する。
【００４６】
この構成は、バーベキュー器具のこの要素が容易に洗浄されることを可能にする。
【００４７】
いかなる場合でも、本発明は、非限定的な例として、本発明に係るコンパクトなバーベキュー器具を示す添付の概略的な図面を参照して、以下の説明を使用して十分に理解される。
【図面の簡単な説明】
【００４８】
【図１】図１は、機能位置でのバーベキュー器具の前面の斜視図である。
【図２】図２は、搬送位置での図１のバーベキュー器具の前面からの斜視図である。
【図３】図３は、前記機能位置でのバーベキュー器具の背面図である。
【図４】図４は、第１の適用形態の機能位置でのバーベキュー器具の側面図である。
【図５】図５は、図４のバーベキュー器具の正面図である。
【図６】図６は、第２の適用形態の機能位置でのバーベキュー器具の前面からの斜視図である。
【図７】図７は、前記搬送位置での図１のバーベキュー器具の正面図である。
【図８】図８は、バーベキュー器具の一部分の第１の実施の形態の詳細図である。
【図９】図９は、図８に示されるバーベキュー器具の同じ部分の第２の実施の形態の詳細図である。
【図１０】図１０は、図８に示されるバーベキュー器具の同じ部分の第３の実施の形態の詳細図である。
【図１１】図１１は、図１０に示される第３の実施の形態の他の図である。
【図１２】図１２は、ロック位置での図８に示されるバーベキュー器具の同じ部分の第４の実施の形態の詳細図である。
【図１３】図１３は、アンロック位置での図８に示されるバーベキュー器具の同じ部分の第４の実施の形態の詳細図である。
【図１４】図１４は、図１２並びに図１３に示される第４の実施の形態の他の図である。
【図１５】図１５は、バーベキュー器具の他の部分の詳細図である。
【図１６】図１６は、図１５に示されるバーベキュー器具の部分の他の詳細図である。
【発明を実施するための形態】
【００４９】
図１並びに図２に示されるように、本発明に係るバーベキュー器具１は、前方開口２３を有する燃焼チャンバ２０に接続されたベース１０を備えている。
【００５０】
以下の説明では、空間の向きに関する言及は、燃焼チャンバ２０の前方開口２３に関連付けて考えられている。
【００５１】
前記ベース１０は、ベース１０の主面に対してほぼ横方向に延びた周縁１９を備えたほぼ矩形形状を有する。
【００５２】
ベース１０は、地面上へのバーベキュー器具１の安定性を確実にする４つの脚１１を有する。前記４つの脚１１は、好ましくはアルミニウムでできた２つの焼結丸棒１８によって形成されており、各々が、図１に示される開いた位置から図２に示される折りたたんだ位置へと、ベース１０の周縁１９の両側面を貫通している心棒を中心として回動可能であり、開いた位置では前記脚が地面上へのバーベキュー器具１の安定性を確実にし、折りたたんだ位置では２つの焼結丸棒１８は、各々、ベース１０の厚み部に形成され焼結丸棒１８の中央部に相補的な形状の場所１２中に維持される。
【００５３】
前記ベース１０は、ベース１０の周縁１９から突出している２つの部分１６の端部に位置され、かつ燃焼チャンバ２０の後方底部の近くに位置された心棒１７によって燃焼チャンバ２０に接続されている。
【００５４】
このようにして、この心棒１７は、図１に示される第１のいわゆる機能位置Ｐ１から、図２に示される第２のいわゆる搬送位置Ｐ２へと、燃焼チャンバ２０に対するベース１０の回動を可能にする。
【００５５】
燃焼チャンバ２０は、２つの引き出し式の部分、即ち心棒１７によってベース１０に接続された主部分２１と、着脱可能な部分２２とを有する。着脱可能な部分は、着脱可能な部分が主部分２１の中に挿入されうるサイズである。
【００５６】
放射ガスバーナ３は、前記前方開口２３を越えて燃焼チャンバ２０の主部分２１の後壁に位置されている。
【００５７】
バーベキュー器具１の機能位置Ｐ１では、着脱可能な部分２２は、一方では、ブレード２５により下側領域の上に、主部分２１に対して維持され、他方では、燃焼チャンバ２０の主部分２１の上側輪郭部の外縁に配置された多機能ブロック３７の第１の部分３７ａの上に形成された２つのスロット２８ａ、２８ｂの間のスロットに留められることによって維持された着脱可能な焼結丸棒２６により上側領域に維持される。ブレード２５は、着脱可能な部分２２の下側輪郭部の外側からほぼ横方向に位置され、ベース１０の中心の近くに固定された支持ブロック１４に配置された所定の位置の一連のスロット１５ａ、１５ｂに挿入されている。
【００５８】
多機能ブロック３７が、これの機能の全てと共に、以下により詳細に説明される。
【００５９】
焼結丸棒２６の２つの端部は、各々、燃焼チャンバ２０の着脱可能な部分２２の上側輪郭部の外縁に形成されたスリット２７を貫通して、ピボットリンクを形成し、また、燃焼チャンバ２０の着脱可能な部分２２の上側輪郭部の内縁から突出している部分２９に形成されたオリフィスに部分的に挿入されている。
【００６０】
前記２つのピボットリンクは、一方では、ベース１０の中心の近くに固定された支持ブロック１４に配置されたスロット１５ａ、１５ｂの位置によって、他方では、多機能ブロック３７の第１の部分３７ａに形成されたスロット２８ａ、２８ｂによって規定された所定の位置の一方又は他方に着脱可能な部分を位置決めするように、焼結丸棒２６の回動を、それ故、焼結丸棒２６の中央部分の高さ方向への移動を可能にする。
【００６１】
燃焼チャンバ２０の着脱可能な部分２２は、両側壁に、図５に示されるようなピン４０ａ、又は図６に示されるような焼き網４０ｂのような、食品を維持するための手段４０のための保持手段２４を有する。
【００６２】
以下の説明では、ピン４０ａは、正方形の断面形状を有するが、前記ピンは、ピン４０ａに対する食品の回転駆動を改良するために、三角形のような、他の断面形状を有していてもよいと考えられる。
【００６３】
さらに、三角形の断面形状の２つの角を正方形の断面形状の２つの隣接する角と接触させ、かつ三角形の断面形状の第３の角を既に述べられた正方形の断面形状の２つの側辺に対向している側辺の中間部と接触させて配置することによって、正方形の断面形状を備えた駆動手段を使用して、三角形の断面形状を有する機械的に回転するピン４０ａを考慮することも可能である。
【００６４】
このために、前記保持手段２４は、ピン４０ａの一端部の通過用の孔２４ａ、又は焼き網４０ｂの維持タブ４４の通過用のスリット２４ｂによって、着脱可能な部分２２の２つの側壁のうちの第１の側壁に形成され、また、ピン４０ａの本体の通過用のスリット２４ｂ、又は焼き網４０ｂ用の維持タブ４４によって、２つの側壁のうちの第２の側壁に形成されている。
【００６５】
快適に使用するために、焼き網４０ｂの所定の維持タブ４４は、焼けを防ぐための保護シース４５を有する。
【００６６】
保持手段２４はまた、それらのスリット２４ｂにピンをロックするための装置５０を有する。
【００６７】
図８に示される第１の実施の形態によれば、このロック装置５０は、着脱可能な部分２２の２つの側壁のうちの第２の側壁に、最上部のスリット２４ｂと最下部のスリット２４ｂとを分離している間隔よりも長い長さの平棒５１を有する。
【００６８】
前記平棒５１は、着脱可能な部分２２の前記側壁の、及びわずかに平面の前の最下部のスリット２４ｂの下に位置されたピボットリンク５２によって接続され、ピン４０ａは、夫々の孔２４ａ及びスリット２４ｂ中に配置されたときアライメントされる。
【００６９】
ロック装置５０はまた、平棒５１の側面に配置された一連のノッチ５３を有する。
【００７０】
前記ノッチ５３は、平棒５１がピボットリンク５２を使用して垂直位置にもたらされたとき、スリット２４ｂと一致する。
【００７１】
前記平棒５１は、着脱可能な蝶型ねじあるいはレバー又はボルトタイプの他のロック装置によって具体化された留め具５４を使用して所定の位置に維持される。
【００７２】
この位置で、ピン４０ａは、平棒５１を使用してそれらの夫々のスリット２４ｂに維持され、それにもかかわらず、ピン４０ａの回転を妨げないようにスリット２４ｂの底部から十分な距離のところに位置される。
【００７３】
図９に示される第２の実施の形態によれば、前記ロック装置５０はまた、着脱可能な部分２２の２つの側壁のうちの第２の側壁に、最上部のスリット２４ｂと最下部のスリット２４ｂとを分離している間隔よりも長い長さの平棒５１を有する。
【００７４】
この平棒５１は、低位置から高位置に移動可能で摺動可能なように装着される。
【００７５】
平棒は、スリット２４ｂのわずかに後ろに、かつ同じスリット２４ｂが形成された着脱可能な部分２２の側壁の内部に位置されている。
【００７６】
この平棒５１の並進移動は、平棒５１の両端のところに、垂直に延びた２つの楕円孔５５を配置することによって果たされ、前記楕円孔の所定の位置で着脱可能な部分２２の内側壁に固定された心棒５６が摺動する。
【００７７】
前記の２つの心棒５６の端部は、それらに楕円孔５５の幅よりも大きな幅を与えるように平たくされ、これにより、平棒５１が心棒５６の端部から離れるのを防ぐ。
【００７８】
平棒５１の並進移動の振幅は、２つの心棒５６のための停止部として機能する楕円孔５５の長さによって規定される。
【００７９】
前記平棒５１は、自身の重みにより、初期設定では低位置にある。
【００８０】
並進移動を果たすために、平棒５１の上部端は、平棒５１の延長部用に形成された開口５７を通り着脱可能な部分２２の壁を貫通している。
【００８１】
平棒５１の把持を容易にするために、平棒５１は、着脱可能な部分から突出している部分に、例えば、平棒５１の湾曲端部によって形成された把持手段５９を有する。
【００８２】
ロック装置５０はまた、下向きに向けられた一連のフック５８を有する。前記フックは、平棒５１が低位置にあるとき、スリット２４ｂと一致している平棒５１の側面から突出し、また、平棒が高位置にあるとき、スリット２４ｂを解放する。
【００８３】
低位置では、ピン４０ａは、平棒５１のフック５８を使用してそれらの夫々のスリット２４ｂ中に維持され、それにもかかわらず、ピン４０ａの回転を妨げるのを避けるようにスリット２４ｂの底部から十分な距離のところに位置される。
【００８４】
図１０並びに図１１に示される第３の実施の形態によれば、このロック装置５０は、格納式のピニオン４１の装置９０を装備した特別なピン４０ａである。
【００８５】
この装置９０を形成するために、ピン４０ａのハンドル４３は、本体９１を有する。本体９１には環状溝９２が形成され、この環状溝は、ピン４０ａが挿入されるスリット２４ｂに挿入される。
【００８６】
この環状溝９２は、燃焼チャンバ２０の着脱可能な部分２２の内側に位置された内側環状ショルダ９２ａと、燃焼チャンバ２０の着脱可能な部分２２の外側に位置された環状ショルダ９２ｂとを有する。
【００８７】
燃焼チャンバ２０の着脱可能な部分２２の外部に配置された前記環状溝９２の側面で、ピニオン４１の本体９３は、一方では、ショルダ９３ａによってハンドル４３の本体９１に形成された環状溝９２の内部に、他方では、ハンドル４３の本体９１のガイド部分９４に支持されながら、摺動可能に装着されている。
【００８８】
ショルダ９３ａの高さは、環状溝９２の深さとほぼ同じである。
【００８９】
このようにして、ハンドル４３の本体９１へのピニオン４１の本体９３の配置は、円柱チャンバ９７を形成する。
【００９０】
円柱チャンバ９７は、一方では、ピニオン４１の本体９３のショルダ９３ａの側に、他方では、ハンドル４３の本体９１に形成された環状溝９２の外部ショルダ９２ｂに支持されている圧縮コイルばね９８を有する。
【００９１】
このばね９８の長さは、ピン４０ａが挿入されているスリット２４ｂの近くに位置された燃焼チャンバ２０の着脱可能な部分２２の壁部と、一方では、ハンドル４３の本体９１の内側ショルダ９２ａと、他方では、着脱可能な部分２２の壁とピニオン４１との間に位置されたピニオン４１の本体９３の環状ショルダ９３ｂとの間に永久的な遊びを維持するように決定される。
【００９２】
この環状ショルダ９３ｂは、スリット２４ｂの幅よりも大きく、ピニオン４１の直径よりも好ましくは小さい直径を有する。
【００９３】
ピニオン４１の本体９３はまた、燃焼チャンバ２０の着脱可能な部分２２の壁から最も遠い端部に、使用者の指の通過用にピニオン４１の本体９３のまわりに環状空間９６を形成するように意図された他の環状ショルダ９５を有する。
【００９４】
最後に、ロック装置５０は、燃焼チャンバ２０の着脱可能な部分２２の壁の外面から突出している停止部９９を有する。
【００９５】
この停止部９９は、ピニオン４１の本体９３の前記ショルダ９３ｂの直径よりもわずかに長く、ピン４０ａの回転軸線から所定の距離離れたところでスリット２４ｂの近くに配置されている。
【００９６】
この停止部９９の高さは、圧縮コイルばね９８がアイドル位置にあるとき、内側環状ショルダ９２ａとピニオン４１の本体９３の環状ショルダ９３ｂとの間に形成された遊びの合計よりも長い。
【００９７】
さらに、この停止部９９は、ピニオン４１の所定の部分に最初に遭遇するスリット２４ｂの側に配置されている。
【００９８】
従って、三角形の（trigonometrique）方向へのピニオン４１の回転に関して、停止部は、スリット２４ｂの上側に位置される。ピニオン４１が反三角形の（anti-trigonometrique）方向に動くとき、停止部は、下側に位置される。この第３の実施の形態に係る装置９０を用いてスリット２４ｂにピン４０ａを挿入するために、使用者はまた、ピン４０ａのハンドル４３上に使用者の手を掛け、ピニオン４１の本体９３のショルダ９５に掛けながら空間９６に使用者の指を挿入する。
【００９９】
そして、使用者は、自分に向かってピニオン４１の本体９３を引き、この結果、ばね９８を圧縮し、ピニオン４１の本体９３の環状ショルダ９３ｂから内側環状ショルダ９２ａを離間し、これにより、ピン４０ａをスリット２４ｂの底部にもたらすことを可能にする。
【０１００】
そして、使用者は、ピニオン４１の本体９３を解放する。
【０１０１】
噛合部４２を形成するために、使用者は、一方のピニオン４１を他方のピニオン４１に正確に係合することを確実にしながら、ピン４０ａの各々に対して動作を繰り返す。
【０１０２】
ピン４０ａのうちの１つの回転駆動機構中、後の部分は、隣接している１つ又は複数のピン４０ａを回転させるが、反対方向である。
【０１０３】
そして、通常ピンの夫々のスリット２４ｂを出る傾向にあるピン４０ａが、停止部９９の動作によりスリット中に保たれ、ピニオン４１の本体９３の環状ショルダ９３ｂが当接し、滑動する。
【０１０４】
ロック装置１００によって図１２ないし図１４に示される第４の実施の形態によれば、ピニオンの本体９３は、上に示される第３の実施の形態に加えて、環状ショルダ９３ｂに中心決めされた環状ショルダ１０１を有する。
【０１０５】
この環状ショルダ１０１は、着脱可能な部分２２の壁の厚さよりも大きな幅を有する。この結果、図１２に示されるロック位置では、この環状ショルダ１０１は、ばね９８の動作下で環状ショルダ９２ａに当接する。
【０１０６】
このロック位置では、内側環状ショルダ９２ａに環状ショルダ１０１を中心決めさせるために、後の部分は、環状ショルダ１０１の端部が挿入される環状スロット１０３を有することができる。
【０１０７】
この環状ショルダ１０１が内側ショルダ９２ａに当接するように着脱可能な部分２２の壁を貫通することを可能にするために、スリット２４ｂは、ピン４０ａの回転軸線に中心決めされ、及び環状ショルダ１０１の直径としてのわずかな遊びと同じ直径の円形孔１０２の形態の端部を有する。
【０１０８】
この円形孔１０２は、第３の実施の形態に示される停止部９９と置き換えられ、同じ停止機能を果たす。
【０１０９】
環状ショルダ９３ｂの滑動機能は、第３の実施の形態では、ピン４０ａの回転中、この第４の実施の形態のスリット２４ｂに形成された円形孔１０２の縁部に当接し滑動する環状ショルダ１０１によって果たされる。
【０１１０】
この第４の実施の形態では、ばね９８のサイズ設定は、環状ショルダ１０１が環状ショルダ９２ａに当接するという事実、及び、永久ギャップが、環状ショルダ１０１の幅によって規定された環状ショルダ９３ｂと内側環状ショルダ９２ａとの間に維持されるという事実により、第３の実施の形態でほど重要でない。
【０１１１】
このギャップは、着脱可能な部分の壁の厚さよりも厚く、スリット２４ｂのピン４０ａの回転移動に必要な遊びを与えることを可能にする。
【０１１２】
この第４の実施の形態に係る装置１００を備えたスリット２４ｂにピン４０ａを挿入するために、使用者は、第３の実施の形態と同じようにして進める。
【０１１３】
使用者は、ピン４０ａのハンドル４３に自分の手を掛けて、ピニオン４１の本体９３のショルダ９５に掛けながら空間９６に自分の指を挿入する。
【０１１４】
そして、使用者は、自分に向かってピニオン４１の本体９３を引き、この結果、ばね９８を圧縮し、ピニオン４１の本体９３の環状ショルダ１０１、９３ｂから内側環状ショルダ９２ａを離間し、これにより、円形孔１０２とアライメントされたスリット２４ｂの底部にピン４０ａをもたらすことを可能にする。
【０１１５】
そして、使用者は、それが内側環状ショルダ９２ａに当接するまで、環状ショルダ１０１に円形孔１０２に貫通させるようにピニオン４１の本体９３を解放する。
【０１１６】
噛合部４２を形成するために、使用者は、一方のピニオン４１を他方のピニオン４１に正確に係合することを確実にしながら、ピン４０ａの各々に対して動作を繰り返す。
【０１１７】
ピン４０ａのうちの１つの回転中、前記ピンは、隣接している１つ又は複数のピン４０ａを回転させるが、反対方向である。
【０１１８】
そして、通常夫々のスリット２４ｂを出る傾向にあるピン４０ａは、円形孔１０２の縁部の動作により円形孔中に保たれ、ピニオン４１の本体９３の環状ショルダ１０１が当接し、滑動する。
【０１１９】
さらに、所定のロック装置５０に対してピン４０ａ及び二重焼き網４０ｂをロックすることができることにより、バーベキュー器具１から離れて、使用者が、例えば平坦面に水平に位置された着脱可能な部分２２に食品を維持するための手段４０の配置を準備することが可能となり、これは、食品維持手段４０に対するリスクなく焼結丸棒２６によってそれを把持することによって、使用者が垂直位置に着脱可能な部分２２を動かすことを可能にする。
【０１２０】
ピン４０ａを使用することからなるバーベキュー器具１の第１の適用形態では、後の部分は、各々、それらの２つの端部のうちの第１の端部の上に、ピン４０ａの本体に対して横方向に配置されたピニオン４１と、ピン４０ａの端部に延びているハンドル４３とによって具体化された駆動手段を有する。
【０１２１】
ピン４０ａの第２の端部は、着脱可能な部分２２の２つの側壁のうちの第１の側壁にある孔２４ａに、又はスリット２４ｂを通って挿入され、この結果、ピン４０ａのピニオン４１は、着脱可能な部分２２の２つの側壁のうちの第２の側壁の外面に隣接してとどまる。
【０１２２】
ピニオンの直径、ピニオンの歯のサイズ及び２つの隣接している保持手段２４の間の間隔は、ピンの組の配置が隣接しているピンの回転駆動を可能にする噛合部４２を形成するように予め決定される。
【０１２３】
提示されたさまざまな実施の形態では、全てのピニオン４１は同一であるが、異なる回転速度を得るようにさまざまなピニオンの寸法を有するピン４０ａを考慮することが可能であり、程良い料理の出来上がりを得ることを可能にする。
【０１２４】
このようにして、同一のピン４０ａを使用するバーベキュー器具１では、図４並びに図５に示されるのと同様に、例えば５つのピン４０ａを有する一実施の形態での中央のピン４０ａの回転駆動機構は、同じ速度で２つの隣接しているピン４０ａの回転駆動をし、代わって、２つの先端ピン４０ａを回転させる。
【０１２５】
この回転は、商業的に入手可能な着脱可能なハンドル（図示されない）を使用して、又は、図１０並びに図１１に示され以下に説明される着脱可能な支持装置６０を使用して、着脱可能な部分２２の２つの側壁のうちの第１の側壁の外面に取着している、図５に示されるような、着脱可能なバッテリを備えた電気モータ６を使用して、手動で果たされることができる。
【０１２６】
電気モータ６は、既知であるようにして、正方形の断面形状を備えた心違い駆動軸と、バーベキュー器具１の側壁に対する電気モータ６の回転を防ぐ役割を果たす、前記駆動軸から所定の調節距離に位置された縁部とを有する。
【０１２７】
支持装置６０は、互いに接続された２つの部分６１、６２を有する。
【０１２８】
第１の部分６１の機能は、着脱可能な部分２２の側壁に対して支持装置６０を位置決めすることである。
【０１２９】
第２の部分の目的は、第１の部分６１に対して電気モータ６を位置決めすることである。
【０１３０】
第１の部分６１は、３つのタブ６４ａ、６４ｂ、６４ｃでできた弾性ステープル６３を有する。
【０１３１】
これらタブ６４ａ、６４ｂ、６４ｃは、着脱可能な部分２２の側壁の側面に係合されている。
【０１３２】
タブ６４ａ、６４ｂは、着脱可能な部分２２の側壁の外側面にあり、また、タブ６４ｃは、前記側壁の内側面にあり、中央のピン４０ａの保持手段の中心孔２４ａの両側に緊密に配置された２つのレール６５を使用して案内される。
【０１３３】
タブ６４ｃは、着脱可能な部分２２の側壁に形成された中央のピン４０ａの保持手段の孔２４ａと一致するオリフィス７１を有する。
【０１３４】
タブ６４ａ、６４ｂ、６４ｃの各々の端部は、着脱可能な部分２２の側壁の側面への挿入を容易にし、かつ、支持装置６０のしっかりとした維持を可能にする高剛性を有するタブ６４ａ、６４ｂ、６４ｃを着脱可能な部分２２の側壁に位置決めするように、わずかに湾曲されている。
【０１３５】
第２の部分６２は、Ｕ字形状のベース６６を有し、これの枝部の端部は、着脱可能な部分２２の側壁からベース６６が離間されるように、ステープル６４ａ、６４ｂに溶接されている。
【０１３６】
このベース６６に、中空ハブ６７が、いったん中央のピンが保持部の所定の位置に位置されると、中央のピン４０ａの心棒に対応する心棒を中心として自由に回転するように配置されている。
【０１３７】
この中空ハブ６７は、ベース６６の両側に配置され中空ハブ６７に形成された横方向に延びた環状溝に挿入される２つのサークリップを使用して維持される。
【０１３８】
中空ハブ６７は、中心に、燃焼チャンバ２０に対向する方向に横方向に突出している中空角管６８を有する。
【０１３９】
角管６８は、ピン４０ａの端部の正方形の断面形状よりもわずかに大きく、電気モータ６の正方形の断面形状の心違い駆動軸よりもわずかに小さい寸法を有する。
【０１４０】
ベース６６に、プラテン６９がまた、ピン４０ａを中央のピン４０ａのすぐ上に位置されたまま維持するように、着脱可能な部分２２の側壁に形成された孔２４ａの高さを超えて着脱可能な部分２２の側壁に平行に上向きに延びて配置されている。
【０１４１】
プラテン６９は、大きな直径を有する円形部分７０ａと、円形部分７０ａの直径よりも小さな幅を有する楕円形部分７０ｂとを備えたキー溝の形態の通過部７０を有する。
【０１４２】
円形部分は、ピン４０ａを中央のピン４０ａのすぐ上に位置されたままにしておくように、着脱可能な部分２２の側壁に形成された孔２４ａと同軸にアライメントされている。
【０１４３】
楕円形部分７０ｂは、円形部分７０ａの下に配置されている。
【０１４４】
ピン４０ａの電動回転を使用するために、使用者は、電気モータ６の支持装置６０を把持することによって開始し、使用者は、角管６８及び円形部分７０ａによる停止部に電気モータ６の正方形の断面形状の心違い駆動軸を挿入する。
【０１４５】
そして、使用者は、楕円形部分７０ｂに停止部を滑動させ、そして、着脱可能な部分２２の側壁に電気モータ６の支持装置６０を位置決めする。
【０１４６】
ピン４０ａの長手方向への移動を防ぐために、ピンは、使用される実施の形態に応じて、ノッチ５３又はフック５８が挿入される間の２つの側面フランジを有する円形断面を備えたリングを有する。
【０１４７】
図４に示されるように、機能位置Ｐ１では、バーベキュー器具１は、調理した後の２つの追加のピン４０ａのための準備と保管との少なくとも一方の領域１３を与える。
【０１４８】
バーナ３の近くに格納された２つの追加のピン４０ａは、より長時間熱いままである。
【０１４９】
燃焼チャンバ２０の底部では、主部分２１及び着脱可能な部分２２の横方向に、着脱可能なオイルパン３０がまた、可動部分２２の内壁に配置されたレール３１によって維持されるように設けられる。
【０１５０】
前記レール３１は、例えば、洗浄を可能にするようにそれを解放するように、着脱可能なパン３０の水平方向の並進運動を可能にする。
【０１５１】
図３に示されるように、燃焼チャンバ２０の後ろには、放射バーナ３のための点火及び供給要素が設けられる。
【０１５２】
多機能ブロック３７は、単一ピースで一体でできており、好ましくは高温に耐えるハードモールド成型プラスチックでできている。多機能ブロック３７は、燃焼チャンバ２０の主部分２１の上側輪郭部の外縁に配置された第１の部分３７ａと、第１の部分３７ａに対してほぼ横方向に配置され、燃焼チャンバ２０の主部分２１の後ろの上側部分全体を覆っている第２の部分３７ｂとを有する。
【０１５３】
この多機能ブロック３７は、好ましくは金属薄板でできた燃焼チャンバ２０の主部分２１に対して留めることによって好ましくは維持されるが、当業者にとって、これは、例えば、ねじのような、他の同等の手段を使用して燃焼チャンバ２０の主部分２１に固定されることができることが明らかである。
【０１５４】
放射バーナ３の外部の加熱面に火花を発生させる圧電気点火ボタン８が、多機能ブロック３７の第２の部分３７ｂから突出している。
【０１５５】
多機能ブロック３７の第２の部分３７ｂはまた、それが搬送位置Ｐ２にあっても機能位置Ｐ１にあっても、使用者がバーベキュー器具１を動かせる、多機能ブロックにモールド成形されたハンドル９を有する。
【０１５６】
同様に、多機能ブロック３７の第２の部分３７ｂは、放射バーナ３をガスエキスパンダ４に接続している、ガスを供給するための可撓ホース７の通過用の孔と、ガスエキスパンダがガスボンベ又はカートリッジ２に接続されていないときにガスエキスパンダ４を格納する役割を果たす、多機能ブロック３７にモールド成形されたコンパートメント５とを有する。
【０１５７】
ガスエキスパンダ４は、エキスパンダ及びタップの２つの機能を果たし、かつ欧州特許ＥＰ０９８１００５又は欧州特許出願ＥＰ１８０２９０８に記載されているようにしてガスカートリッジ２に容易に接続する接続装置を有する。
【０１５８】
ガスエキスパンダ４がガスボンベ又はカートリッジ２に接続されているとき、留め手段３２が、エキスパンダに対して多機能ブロック３７の第２の部分３７ｂに設けられる。
【０１５９】
この留め手段３２は、例えば、あり継ぎ、即ち多機能ブロック３７の第２の部分３７ｂに位置されたレールと、ガスエキスパンダ４に配置されたレールのそれに相補的な形状を備えたガイドチャンネルとの構成によってできていることができる。逆もまた同様である。
【０１６０】
これはまた、例えば、多機能ブロック３７の第２の部分３７ｂに形成されたキー溝タイプの１つ又は２つの突出オリフィス（図示されない）によって果たされることができる。これは、ガスエキスパンダ４に位置された１つ又は２つのねじ頭の直径よりも大きな直径を備えた円形上側部分と、ねじのねじ頭がオリフィスの上側部分から下側部分に滑動するときにガスエキスパンダ４を保持するように、ねじ頭よりも小さな幅を備えた楕円下側部分とを有する。
【０１６１】
同じ留め手段３２はまた、前記ガスエキスパンダがガスカートリッジ２に接続されていないとき、搬送中に中にガスエキスパンダ４を維持するように、コンパートメント５中にある。
【０１６２】
いったん取着されると、ガスカートリッジ２は、図４でバーベキュー器具１の後ろにＡ−Ａ線によって示される、燃焼チャンバ２０の後ろに位置された輪郭面８０と接触するようになる。
【０１６３】
この輪郭面８０は、エキスパンダ４に含まれるガスの放出中、又は、低い外部の温度の間、近くに位置された放射バーナ３による放射、伝熱及び対流によりガスカートリッジ２をより加熱することによって、ガスカートリッジ２の冷却を低減させる。
【０１６４】
図３並びに図４に特に示されるように、バーベキュー器具１が機能位置Ｐ１にあるときに燃焼チャンバ２０の主部分２１の後ろに突出しているベース１０の部分で、ロック手段３４は、機能位置Ｐ１でバーベキュー器具１をロックするように設けられ、それにより、搬送位置Ｐ２へのバーベキュー器具１の不時の折りたたみを防ぐ。
【０１６５】
既知であるようにして、このロック手段３４は、例えば、バーベキュー器具が機能位置Ｐ１にあるときに燃焼チャンバ２０の主部分２１により支持されているブレードに接続されたばねボタンを有することができる。
【０１６６】
同様に、バーベキュー器具１はまた、搬送位置Ｐ２でバーベキュー器具１をロックするロック手段３３を有し、それにより、機能位置Ｐ１へのバーベキュー器具１の不時の展開を防ぐ。
【０１６７】
前記ロック手段３３は、図１並びに図２に示されるように、固定点を中心としてベース１０に対して自由に回転する端部によって、ベース１０の縁１９の前方の外側輪郭部に接続された弾性フックによってここに形成され、また、他の端部は、多機能ブロック３７の第１の部分３７ａに形成されたスロット２８ｂに留められる。
【０１６８】
搬送のために、図７に示されるように、搬送リング３５がまた、燃焼チャンバ２０の主部分２１の側壁の外側の上側領域に配置されて設けられ、同様に、既知であるようにして２つの搬送リング３５を取着している着脱可能なストラップ３６が設けられている。
【０１６９】
バーベキュー器具１の使用者は、かくして、使用者の一方の肩の上に載せてバーベキュー器具１を搬送することができる。
【０１７０】
使用者がバーベキュー器具１を使用したいとき、使用者は、バーベキュー器具１の使用に好都合な場所を、好ましくは屋外で散らかっていない場所を選ぶことによって開始する。
【０１７１】
そして、使用者は、バーベキュー器具１を地面に置いて、２つの搬送リング３５からストラップ３６を取り外す。
【０１７２】
そして、使用者は、ベース１０に形成されたそれらの位置部材１２から２つの丸棒１８を外すことによって、４つの脚１１を広げる。そして、これら脚がベース１０に当接するまで脚を回動させる。
【０１７３】
そして、使用者は、弾性フック３３を取り外して、バーベキュー器具が機能位置にあることをロック手段３４が表示するまで、バーベキュー器具１の機能位置Ｐ１に向かって燃焼チャンバ２０の主部分を傾ける。この表示は、視覚的であってもよいし聴覚的であってもよい。
【０１７４】
この工程で、燃焼チャンバ２０の着脱可能な部分２２は、主部分２１の内部に嵌め込まれ、ピン４０ａは、着脱可能な部分２２に斜めに格納される。
【０１７５】
そして、使用者は、例えば準備と保管との少なくとも一方の領域１３に位置されることができる着脱可能な部分２２、オイルトレイ３０、ピン４０ａ、及び、潜在的に、着脱可能な電気モータ６及び支持装置６０を取り外すことによって開始する。
【０１７６】
着脱可能な部分２２の焼結丸棒２６は、焼結丸棒２６がバーベキュー器具１の搬送中に動いてノイズを発生させるのを防ぐように、燃焼チャンバ２０の主部分２１の内部に配置された弾性タブ（図示されない）によって潜在的に保持される。
【０１７７】
着脱可能な部分２２は、平坦な面に水平に置かれる。
【０１７８】
食品をピンに取り付けることによって二重焼き網４０ｂを備えたピン４０ａを準備した後、使用者は、まず、ピン４０ａの端部を孔２４ａに挿入し、そして、噛合部４２を形成するようにピン４０ａの一連のピニオン４１をアライメントさせるように注意しながら、ピン４０ａの本体をスリット２４ｂに戻すことによって、ピンを保持部に位置決めする。
【０１７９】
そして、使用者は、スリット２４ｂがロック装置５０を使用して閉じられることを確実にする。
【０１８０】
そして、使用者は、潜在的に電気モータ６を設置し、そして、燃焼チャンバ２０の着脱可能な部分２２をバーベキュー器具１に設置する。
【０１８１】
そして、正方形の断面形状の中央のピン４０ａが、電気モータ６の正方形の断面形状の駆動軸に挿入される。
【０１８２】
バーベキュー器具１に着脱可能な部分２２を位置させるために、使用者は、着脱可能な部分の底部を把持して、ブレード２５を支持ブロック１４の一連のスロット１５ａ、１５ｂの一方の内部に置いて、燃焼チャンバ２０の着脱可能な部分２２を安定させるように、焼結丸棒２６を多機能ブロック３７の第１の部分３７に形成されたスリット２８ａ、２８ｂの間の適切なスロットに取着する。
【０１８３】
そして、使用者は、コンパートメント５からガスエキスパンダ４を取り出して、ガスカートリッジ２を前記エキスパンダに接続する。
【０１８４】
そして、使用者は、留め手段３２を使用してガスエキスパンダ４を取着して、ガスエキスパンダ４に位置されたタップを開き、そして、放射バーナ３に点火するために圧電気ボタンを押す。
【０１８５】
そして、使用者は、一組のピン４０ａを回転させるために電気モータ６を始動させさえすればよい。
【０１８６】
そして、食品からの油脂が、端部に設けられたトレイ３０に回収される。
【０１８７】
調理の終わりに、使用者は、ガスエキスパンダ４に位置されたタップを使用してガスの供給を切り、電気モータ６を停止させることによってピン４０ａの回転を停止させる。
【０１８８】
オイルトレイ３０、燃焼チャンバ２０の着脱可能な部分２２及びピン４０ａのような全ての着脱可能な部分を洗浄した後、使用者は、バーベキュー器具を搬送位置Ｐ２にするために逆順で同じ工程を行う。
【０１８９】
ガスカートリッジが空でなければ、ガスカートリッジ２は、搬送を妨げることなく、バーベキュー器具１に取着されたままであってもよいことが注意されるべきである。
【０１９０】
このコンパクトなバーベキュー器具１の寸法は、このバーベキュー器具１の大きさを小さくし使用及び搬送するのが容易な装置にする。
【０１９１】
本発明に係るバーベキュー器具１の大きさに関する情報に関して、機能位置Ｐ１では、脚１１の高さは、地面から５ｃｍのところにベース１０を位置決めし、４５ｃｍ未満の全高、４３ｃｍ未満の深さ及び３５ｃｍ未満の幅である。
【０１９２】
本発明は、特定の実施の形態に関連付けられて説明されてきたが、もちろん、それらに限定されるものではなく、説明された手段の全ての技術的均等物並びにそれらの組合せを包含している。
【図１】
2013529529.tif 000003
【図２】
2013529529.tif 000004
【図３】
2013529529.tif 000005
【図４】
2013529529.tif 000006
【図５】
2013529529.tif 000007
【図６】
2013529529.tif 000008
【図７】
2013529529.tif 000009
【図８】
2013529529.tif 000010
【図９】
2013529529.tif 000011
【図１０】
2013529529.tif 000012
【図１１】
2013529529.tif 000013
【図１２】
2013529529.tif 000014
【図１３】
2013529529.tif 000015
【図１４】
2013529529.tif 000016
【図１５】
2013529529.tif 000017
【図１６】
2013529529.tif 000018
【国際調査報告】
2013529529.tif 000019
2013529529.tif 000020
2013529529.tif 000021
2013529529.tif 000022